(57)【特許請求の範囲】
【請求項１】
フレキシブル配線基板が接続される電子デバイスと、
金属板を加工することで形成されており、前記電子デバイスを保持する保持部材と、
合成樹脂材料で形成される樹脂部材と、を有し、
前記保持部材には、前記電子デバイスを保持する保持領域と、前記保持領域に位置する開口部と、前記開口部の一方の端から露出する曲げ形状部と、が形成されており、
前記樹脂部材は、前記樹脂部材の端が前記開口部の他方の端から露出し、かつ前記樹脂部材の端と前記曲げ形状部との間に空間ができるように、配置されており、
前記フレキシブル配線基板は、前記開口部を通って、前記空間に配置されていることを特徴とする電子機器。
【請求項２】
前記保持部材は、前記金属板がヘミング曲げ加工されることで、前記曲げ形状部が前記開口部の一方の端から露出することを特徴とする請求項１に記載の電子機器。
【請求項３】
前記保持領域の外側には爪形状部が形成されており、前記電子デバイスは前記爪形状部に係止されることで、前記保持領域に保持されていることを特徴とする請求項１または２に記載の電子機器。
【発明の詳細な説明】
【技術分野】
【０００１】
本発明は、金属板を加工することで形成される保持部材で電子デバイスを保持する電子機器に関するものである。
【背景技術】
【０００２】
デジタルカメラのような撮像装置をはじめとする電子機器には、各種の表示（撮像装置の場合は撮影領域の決定や撮影した画像の確認、各種メニューの表示等）に用いられる液晶パネル等の表示部が装備されていることが多い。電子機器に搭載される表示部は用途が幅広くかつ重要な用途が多い為、電子機器の市場では表示部の大きいものが好まれる傾向にある。これに伴い近年では電子機器の市場の要望に応える形で表示部の大型化が進展している。
【０００３】
ところで、液晶パネルのような表示部においては構造上外部からの圧力や衝撃に弱いという面がある。そこで、電子機器の使用時や携帯時に表示部にかかる外力による破損等を防ぐ構成が必要となるが、その為には表示部裏面を広い均一な面で保持することが最も効果的である。
【０００４】
一方、表示部の大型化と共に電子機器本体の小型化も市場に求められている。特に、デジタルカメラにおいてはカメラ上面にデジタルカメラ本体の電源を入れる為の電源ボタン、撮影時の画角調整を行う為のズームレバーや撮影指示を行う為のシャッターボタンなどの各種操作部材が配置される場合が多い。その場合、液晶パネルの投影面積内にそれら操作部材が納められたレイアウトとすることで、デジタルカメラ本体の小型化が実現できる。
【０００５】
そこで、特許文献１に示されるように、撮影レンズユニットや液晶ユニット等を保持するための金属シャーシで液晶ユニット裏面を広い面で保持し、上面の操作部材に対応したフレキシブル配線基板を保持するためのトッププレートを構成する構造が開示されている。
【０００６】
また、特許文献２に示されるように、撮影レンズユニットや液晶ユニット等を保持するための金属シャーシで液晶ユニット裏面を保持しつつ、上面操作部材に対応したフレキシブル配線基板も保持する形状も備えた構造が開示されている。
【特許文献１】特開２０１０−４９１７５号公報
【特許文献２】特開２００８−２０３６３２号公報
【発明の開示】
【発明が解決しようとする課題】
【０００７】
しかしながら、上記の特許文献１に開示の構成においては、上面操作部材に対応したフレキシブル配線基板を保持するための部材（トッププレート）、及びトッププレートを締結固定するためのビスなどが必要になり、部品点数、及び組立工数の増加を招いていた。
【０００８】
一方、上記特許文献２に開示の構成においては液晶ユニットを保持する金属シャーシで上面操作部材に対応したフレキシブル配線基板も保持するため、部品点数、組立工数は少ない構成となっている。しかし、上面操作部材に対応したフレキシブル配線基板を保持する形状を形成するために、液晶ユニットの投影面積内で金属シャーシに曲げ形状を有する。そのために、曲げ形状がある領域では液晶ユニット裏面を保持できておらず、液晶ユニットに外力が加わった場合に破損等が起きる可能性があった。
【０００９】
上記課題に鑑みて、本発明では、金属板を加工することで形成される保持部材でフレキシブル配線基板が接続される電子デバイスを保持する場合であっても、金属板の縁でフレキシブル配線基板を破損させることの少ない電子機器を提供することを目的とする。
【課題を解決するための手段】
【００１０】
上記目的を達成するために本発明の一側面としての電子機器は、フレキシブル配線基板が接続される電子デバイスと、金属板を加工することで形成されており、前記電子デバイスを保持する保持部材と、合成樹脂材料で形成される樹脂部材と、を有し、前記保持部材には、前記電子デバイスを保持する保持領域と、前記保持領域に位置する開口部と、前記開口部の一方の端から露出する曲げ形状部と、が形成されており、前記樹脂部材は、前記樹脂部材の端が前記開口部の他方の端から露出し、かつ前記樹脂部材の端と前記曲げ形状部との間に空間ができるように、配置されており、前記フレキシブル配線基板は、前記開口部を通って、前記空間に配置されていることを特徴とする。
【発明の効果】
【００１２】
以上説明したように、本発明によれば、金属板を加工することで形成される保持部材でフレキシブル配線基板が接続される電子デバイスを保持する場合であっても、金属板の縁でフレキシブル配線基板を破損させることの少ない電子機器を提供することができる。
【図面の簡単な説明】
【００１３】
【図１】本発明の実施の形態におけるデジタルカメラの分解斜視図である。
【図２】本発明の実施の形態におけるデジタルカメラの正面側斜視図である。
【図３】本発明の実施の形態におけるデジタルカメラの背面側斜視図である。
【図４】本発明の実施の形態におけるデジタルカメラの内部を示した正面側斜視図である。
【図５】本発明の実施の形態におけるデジタルカメラの内部を示した背面側斜視図である。
【図６】本発明の実施の形態におけるデジタルカメラの断面図である。
【図７】本発明の実施の形態におけるシャーシの加工模式図である。
【発明を実施するための形態】
【００１４】
以下、本発明の実施の形態を図面に基づいて説明する。
【００１５】
図２は本発明の実施例のデジタルカメラを示す正面側斜視図である。１はデジタルカメラ本体を示し、２はレンズ鏡筒を示す。デジタルカメラ１はレンズ鏡筒２より得た被写体像をＣＣＤ撮像素子で受光し画像データを生成する。３はモードダイヤルを示し、使用者は回転操作を行うことにより風景モード、人物モード、動画モード等、各種撮影モードの切り替えを行うことが出来る。また４はズームダイヤルを示し、時計回り方向に回転させることで望遠側、反時計回りに回転させることで広角側へレンズ鏡筒２の画角を変化させることが可能となっている。５は２段スイッチ構成のシャッターボタンである。１段目のスイッチを押下するとレンズ鏡筒２内のＡＦモータを駆動させフォーカス調整を行い、２段目のスイッチを押下することで図示しないデジタルカメラ１から着脱可能なメモリーカードへ撮影画像の記憶を行う。
【００１６】
図３は本発明の実施例のデジタルカメラを示す背面側斜視図である。６は液晶表示部を示し、ユーザーは撮影時のスルー画像や撮影プレビュー画像、また再生時の撮影画像等を確認することができる。７は各種操作部材を示し、撮影時はストロボ発光モード、ＡＦモード、ドライブモード等の切り替えが可能となり、再生時は表示する撮影画像の切り替えや画像データの削除等といった操作等を可能とするものである。
【００１７】
図４は外装、及び操作部材を取り外した状態での正面側斜視図を示し、図５は外装、及び操作部材を取り外した状態での背面側斜視図を示す。図４、及び図５において８はストロボ操作基板を示す。ストロボ操作基板８は上面がモードダイヤル３、ズームダイヤル４、シャッターボタン５に対応した各種スイッチ等が実装されており、裏面にストロボ発光制御するための昇圧トランス等の電気部品が実装された基板となっている。９はメイン基板を示し、各種ＩＣの他に撮影した画像データを保存する為のデジタルカメラ１から着脱可能なメモリーカードを収納するコネクタも実装されている。１０は操作部材用フレキシブル配線基板を示し、各種操作部材７に対応したスイッチが実装されている。また１１はデジタルカメラ１を駆動するための駆動源となる電池を収納する電池室を示しＰＣ（ポリカーボネート）等の樹脂で形成されている。
【００１８】
ここで、デジタルカメラ１は図４、図５に示すようにストロボ操作基板８が液晶表示部６の上端よりも下側に位置している。このように液晶表示部６よりもストロボ操作基板８を突出させない構成とすることで、図２、図３に示すようにモードダイヤル３、ズームダイヤル４、シャッターボタン５等の上面操作部材が突出した形状にならず、デジタルカメラ１全体の小型化が可能となっている。
【００１９】
図１は図５の状態から本発明に関わる主要部品のみを更に分解斜視図にし、上面操作部材も示した図である。
【００２０】
図１において、１２はシャーシ（金属製の保持部材）を示す。シャーシ１２は平面状の金属板から加工されており、本実施例においてはＳＵＳ（ステンレス鋼板）が用いられている。
【００２１】
シャーシ１２は１２ａ（第一の領域）に液晶表示部６を当接保持するための面形状を有している。シャーシ１２の上部一辺にはほぼ全ての領域にヘミング曲げ加工が施され高強度となっており、液晶表示部６に外力が加わった場合でも強固に広い面で保持できるため液晶表示部６が破損することは無い。
【００２２】
また更に、ヘミング曲げ加工部１２ｂ（第二の領域）の一部にヘミング曲げ加工部１２ｂと直交する直角の曲げ加工がなされ、ストロボ操作基板８を保持するための取りつけ面１２ｃ（第三の領域）が形成されている。なお、ここでの直交とは、厳密に直交である必要はなく、実質的に直交であるものも含む。これにより、上面の操作基板を保持するために別部品を構成する必要がなく、シャーシ１２のみで構成できるため、部品点数、組立工数を削減することが可能となっている。
【００２３】
また、液晶表示部６の固定方法としてはシャーシ１２のヘミング曲げ加工部１２ｂから一部ヘミング曲げを施さない爪形状１２eを設け、爪形状に対応した位置にある腕形状部６ａに設けた穴に引っ掛ける。そして更にその後、シャーシ１２底面に設けた雌ネジ部にビス１３を締結することで固定される。
【００２４】
その際、液晶表示部６に接続されたフレキシブル配線基板６ｂは右側面より液晶表示部６の裏面に屈曲されシャーシ１２に設けられた開口部１２ｄを貫通し、デジタルカメラ前面側に配置されたメイン基板９へと接続される。
【００２５】
一方、ストロボ操作基板８はシャーシ１２に設けられた取りつけ面１２ｃに取り付けられるが、まず１２ｃの面に載せた後、位置決め部材１４を取り付ける。位置決め部材１４には位置決めピンが表裏共に突出形成されており、裏側に突出した位置決めピンがストロボ操作基板８、及びシャーシ１２に設けられた位置決め穴それぞれを貫通することで、ストロボ操作基板８、シャーシ１２の位置決めが行われる。
【００２６】
その後ビス１５を１２ｃに設けられた雌ネジ部へ締結することで、位置決め部材１４、ストロボ操作基板８、シャーシ１２の３部品が締結保持される。そして、更に位置決め部材１４の表側に設けられた突出した位置決めピンが上面操作部材ユニット１６に設けられた凹形状に嵌合することで、ストロボ操作基板８、シャーシ１２、上面操作部材ユニット１６全ての位置決めが確実に行われる。
【００２７】
次にデジタルカメラ１の液晶表示部６に接続されたフレキシブル配線基板６ｂの構成を図６の断面図を用いて説明する。
【００２８】
本実施例におけるデジタルカメラ１ではカメラ本体のサイズを薄く構成させる為にメイン基板９をカメラ前面側に配置している。その為、フレキシブル配線基板６ｂをメイン基板９に接続させる為にはレンズ鏡筒２や電池室１１などを避けた経路で前側へ配線することが必要となる。
【００２９】
しかし、デジタルカメラを正面から見て左側は各種操作部材７に対応した操作部材用フレキシブル配線基板１０やストラップ取りつけ部などがあり、配線が困難であり、更に底面に至っては三脚取りつけ部や、開閉動作する電池蓋などがあり更に困難である。
【００３０】
そこで、本発明のデジタルカメラにおいてはストロボ操作基板８の取りつけ面１２ｃの近傍に１２ｄの開口部を設け、開口部１２ｄにフレキシブル配線基板６ｂを貫通させる。フレキシブル配線基板６ｂは、ストロボ操作基板８の取りつけ面１２ｃと電池室１１の間の空間を通り、デジタルカメラ前面に配置されているメイン基板９に接続することが可能となっている。
【００３１】
この際、図６に示すように開口部１２ｄの上側は１２ｆの曲げ形状部よりも大きく形成されており、また開口部１２ｄの下側は電池室１１の上端１１ａよりも大きく形成されている。これによりシャーシ１２の端面エッジ部がフレキシブル配線基板６ｂに触れることがなくなり、作業時等に傷付けることが無くなる。
【００３２】
また図７はシャーシ１２の部品状態での曲げ加工（製造）時の簡易的な模式図を示す。
【００３３】
シャーシ１２は開口部１２ｄを有していることにより、図７に示すように開口部１２ｄをプレス駒１７が通過することが可能となっている。よって、プレス駒１７によって、ヘミング曲げ加工部１２ｂを押圧することができる。したがって、曲げ加工性の向上にも寄与している。
【００３４】
以上説明したように本実施の形態によれば、少ない部品点数、及び組立工数で表示部裏面を高強度の広い面で保持できるので表示部の外力による破損を防ぐことができ、また表示部に直行する位置に配置される基板等も保持することが出来る。更に、曲げ部近傍に開口部を設けたことでフレキシブル配線基板をデジタルカメラ前面側に通過させることが可能となる。またその際、開口部の端面エッジを保護することが出来るので、フレキシブル配線基板を傷付けることがない。
【００３５】
更に開口部を有していることで、曲げ加工性も向上させることが可能となる。
【００３６】
尚、本実施の形態においては、デジタルカメラ上面に操作基板が配置されている例を示したが、他の側面に基板を配置した場合でも同様の構成を取ることで同様の効果が得られるこ
とは述べるまでもない。
【００３７】
また本実施の形態においては、デジタルカメラを例に述べたが、ビデオカメラや液晶モニター、ノート型ＰＣ等、他の電子機器にも適用することが可能である。
【符号の説明】
【００３８】
１  ：デジタルカメラ
６  ：液晶表示部
６ｂ：フレキシブル配線基板
８  ：ストロボ操作基板
１２：シャーシ
１７：プレス駒
【図１】
0005637835.tif 000002
【図２】
0005637835.tif 000003
【図３】
0005637835.tif 000004
【図４】
0005637835.tif 000005
【図５】
0005637835.tif 000006
【図６】
0005637835.tif 000007
【図７】
0005637835.tif 000008